(57)【要約】【課題】  本発明は、電池残量が少ない場合に、画像表示に必要な消費電力を抑制することが可能な携帯情報端末及び表示制御方法を提供することを目的とする。【解決手段】  残量検出手段は、電池の残量を検出し、電池の残量を示す残量情報を出力する。表示制御手段は、残量検出手段が検出した残量に基づいて、画像を更新する頻度を示すフレームレート又は画像の表示サイズを設定する。そして、表示制御手段は、設定したフレームレート又は画像の表示サイズにて、画像表示手段に所望の画像を表示させる。【選択図】図１
2007036702.tif 000002
【特許請求の範囲】
【請求項１】
電池を動力源として動作する携帯情報端末であって、
画像を表示する画像表示手段と、
前記電池の残量を検出して前記電池の残量を示す残量情報を出力する残量検出手段と、
前記残量検出手段が出力する前記残量情報を受け取り、当該残量情報に応じて、前記画像表示手段に表示させる画像を更新する頻度を示すフレームレートを設定し、設定したフレームレートで前記画像表示手段に画像を表示させる表示制御手段と、から構成される、
ことを特徴とする携帯情報端末。
【請求項２】
前記残量検出手段は、前記電池の出力電圧値を検出し、前記残量情報として出力電圧値を出力し、
前記表示制御手段は、前記残量検出手段から供給される前記電池の出力電圧値に応じてフレームレートを設定し、設定したフレームレートで前記画像表示手段に画像を表示させる、
ことを特徴とする請求項１に記載の携帯情報端末。
【請求項３】
前記表示制御手段は、前記残量検出手段から供給される前記残量情報が、前記電池の残量が所定値以上であることを示す場合には第１のフレームレートを設定し、前記残量検出手段から供給される前記残量情報が、前記電池の残量が所定値未満であることを示す場合には前記第１のフレームレートよりも低い第２のフレームレートを設定し、設定したフレームレートで前記画像表示手段に画像を表示させる、
ことを特徴とする請求項１又は２に記載の携帯情報端末。
【請求項４】
電池を動力源として動作する携帯情報端末であって、
画像を表示する画像表示手段と、
前記電池の残量を検出して前記電池の残量を示す残量情報を出力する残量検出手段と、
前記残量検出手段が出力する前記残量情報を受け取り、当該残量情報に応じて、前記画像表示手段の表示サイズを設定し、設定した表示サイズで前記画像表示手段に画像を表示させる表示制御手段と、から構成される、
ことを特徴とする携帯情報端末。
【請求項５】
前記残量検出手段は、前記電池の出力電圧値を検出し、前記残量情報として出力電圧値を出力し、
前記表示制御手段は、前記残量検出手段から供給される前記電池の出力電圧値に応じて、表示サイズを設定し、設定した表示サイズで前記画像表示手段に画像を表示させる、
ことを特徴とする請求項４に記載の携帯情報端末。
【請求項６】
前記表示制御手段は、前記残量検出手段から供給される前記残量情報が、前記電池の残量が所定値以上であることを示す場合には第１の表示サイズを設定し、前記残量検出手段から供給される前記残量情報が、前記電池の残量が所定値未満であることを示す場合には前記第１の表示サイズよりも小さい第２の表示サイズを設定し、設定した表示サイズで前記画像表示手段に画像を表示させる、
ことを特徴とする請求項４又は５に記載の携帯情報端末。
【請求項７】
画像を表示する表示手段を備え、電池を動力源として動作する、携帯情報端末の表示制御方法であって、
前記電池の残量を検出する残量検出ステップと、
前記検出ステップで検出された電池の残量に基づいて、画像を更新する頻度を示すフレームレートを設定する設定ステップと、
前記設定ステップで設定されたフレームレートで画像を表示する表示ステップと、を備える、
ことを特徴とする表示制御方法。
【請求項８】
画像を表示する表示手段を備え、電池を動力源として動作する、携帯情報端末の表示制御方法であって、
前記電池の残量を検出する残量検出ステップと、
前記検出ステップで検出された電池の残量に基づいて、画像の表示サイズを設定する設定ステップと、
前記設定ステップで設定された表示サイズで画像を表示する表示ステップと、を備える、
ことを特徴とする表示制御方法。
【発明の詳細な説明】
【技術分野】
【０００１】
本発明は、携帯情報端末に関し、特に画像表示機能を有する携帯情報端末に関する。
【背景技術】
【０００２】
近年、携帯電話機をはじめとする携帯情報端末はその活躍の場をますます広げており、ゲームや動画の視聴といったさまざまな行為が携帯情報端末を用いて行われている。一般的に携帯情報端末の電源として、リチウムイオン電池等の電池（バッテリ）が利用されている。電池は、小型かつ軽量という利点がある反面、蓄電容量に限りがあり、大きな消費電力が要求される動画の表示等の機能を利用すると連続使用時間が短くなるという難点を有する。そこで、大きな消費電力が要求される動画の表示等に対応するため、消費電力を抑えて動作させることが可能な携帯情報端末が考えられた（例えば、特許文献１を参照）。
【特許文献１】特開２００２−２８８９８４号公報
【発明の開示】
【発明が解決しようとする課題】
【０００３】
上述したように、特許文献１に開示されているような携帯電話機を用いることにより、電池の消耗を抑えることができる。しかし、いくら消費電力を抑えても、電池の蓄電容量には限界があるため、例えば、動画を視聴中に電池残量が低下した場合には、最後まで動画を見ることができなくなってしまう。
【０００４】
本発明は、上記実状に鑑みて為されたものであり、電池残量が少ない場合に、画像表示に必要な消費電力を抑制することが可能な携帯情報端末及び表示制御方法を提供することを目的とする。
【課題を解決するための手段】
【０００５】
上記目的を達成するため、本発明の第１の観点に係る携帯情報端末は、電池を動力源として動作する携帯情報端末であって、画像を表示する画像表示手段と、前記電池の残量を検出して前記電池の残量を示す残量情報を出力する残量検出手段と、前記残量検出手段が出力する前記残量情報を受け取り、当該残量情報に応じて、前記画像表示手段に表示させる画像を更新する頻度を示すフレームレートを設定し、設定したフレームレートで前記画像表示手段に画像を表示させる表示制御手段と、から構成される、ことを特徴とする。
【０００６】
前記残量検出手段は、前記電池の出力電圧値を検出し、前記残量情報として出力電圧値を出力し、前記表示制御手段は、前記残量検出手段から供給される前記電池の出力電圧値に応じてフレームレートを設定し、設定したフレームレートで前記画像表示手段に画像を表示させてもよい。
【０００７】
前記表示制御手段は、前記残量検出手段から供給される前記残量情報が、前記電池の残量が所定値以上であることを示す場合には第１のフレームレートを設定し、前記残量検出手段から供給される前記残量情報が、前記電池の残量が所定値未満であることを示す場合には前記第１のフレームレートよりも低い第２のフレームレートを設定し、設定したフレームレートで前記画像表示手段に画像を表示させてもよい。
【０００８】
本発明の第２の観点に係る携帯情報端末は、電池を動力源として動作する携帯情報端末であって、画像を表示する画像表示手段と、前記電池の残量を検出して前記電池の残量を示す残量情報を出力する残量検出手段と、前記残量検出手段が出力する前記残量情報を受け取り、当該残量情報に応じて、前記画像表示手段の表示サイズを設定し、設定した表示サイズで前記画像表示手段に画像を表示させる表示制御手段と、から構成される、ことを特徴とする。
【０００９】
前記残量検出手段は、前記電池の出力電圧値を検出し、前記残量情報として出力電圧値を出力し、前記表示制御手段は、前記残量検出手段から供給される前記電池の出力電圧値に応じて、表示サイズを設定し、設定した表示サイズで前記画像表示手段に画像を表示させてもよい。
【００１０】
前記表示制御手段は、前記残量検出手段から供給される前記残量情報が、前記電池の残量が所定値以上であることを示す場合には第１の表示サイズを設定し、前記残量検出手段から供給される前記残量情報が、前記電池の残量が所定値未満であることを示す場合には前記第１の表示サイズよりも小さい第２の表示サイズを設定し、設定した表示サイズで前記画像表示手段に画像を表示させてもよい。
【００１１】
本発明の第３の観点に係る携帯情報端末の表示制御方法は、画像を表示する表示手段を備え、電池を動力源として動作する、携帯情報端末の表示制御方法であって、前記電池の残量を検出する残量検出ステップと、前記検出ステップで検出された電池の残量に基づいて、画像を更新する頻度を示すフレームレートを設定する設定ステップと、前記設定ステップで設定されたフレームレートで画像を表示する表示ステップと、を備える、ことを特徴とする。
【００１２】
本発明の第４の観点に係る携帯情報端末の表示制御方法は、画像を表示する表示手段を備え、電池を動力源として動作する、携帯情報端末の表示制御方法であって、前記電池の残量を検出する残量検出ステップと、前記検出ステップで検出された電池の残量に基づいて、画像の表示サイズを設定する設定ステップと、前記設定ステップで設定された表示サイズで画像を表示する表示ステップと、を備える、ことを特徴とする。
【発明の効果】
【００１３】
本発明によれば、電池の残量に応じて画像表示の制御を変更することにより、電池残量が少ない場合に、画像表示に必要な消費電力を抑制させることができる。
【発明を実施するための最良の形態】
【００１４】
以下、本発明の実施形態に係る携帯情報端末について、図面を参照して説明する。
【００１５】
（実施形態１）
本実施形態に係る携帯情報端末１は、図１に示すように、制御部１１と、表示部１２と、バッテリ１３と、バッテリ残量検出部１４と、通信部１５と、入力部１６と、記憶部１７と、から構成される。
【００１６】
制御部１１は、ＣＰＵ（Central Processing Unit）等から構成され、携帯情報端末１の各部の動作を制御する。例えば、制御部１１は、記憶部１７に格納されたプログラムに従って表示部１２を制御して、後述するフレームレート可変処理を実行する。
【００１７】
表示部１２は、図２に示すように、ドライバ回路１２１と、タイミング制御回路１２２と、液晶表示素子１２３と、から構成される。表示部１２は、制御部１１による制御に従い、画像（静止画及び動画）を表示素子に表示する。
【００１８】
ドライバ回路１２１は、制御部１１から供給される画像データに基づいて液晶表示素子１２３に画素の明暗を定義する階調信号を供給するセグメントドライバと、明暗を変化させる画素行を選択する走査信号を液晶表示素子１２３に供給するコモンドライバと、から構成される。
【００１９】
タイミング制御回路１２２は、ドライバ回路１２１の動作タイミングを制御する。より具体的には、タイミング制御回路１２２は、画像を更新する頻度を定義するフレームレート（フレーム数／秒）を制御部１１により設定され、当該フレームレートに基づくタイミングでドライバ回路１２１を動作させ、液晶表示素子１２３に画像を表示させる。
なお、液晶表示素子１２３に動画を表示させる場合、フレームレートが高いほど、動画の表示が滑らかになるが、その反面、消費電力も多くなる。
【００２０】
バッテリ１３は、携帯情報端末１全体に電力を供給する電力源であり、リチウムイオン電池等により構成される。
【００２１】
バッテリ電圧検出部１４は、バッテリ１３の出力電圧値を検出し、その情報を制御部１１に供給する。
【００２２】
通信部１５は、ＮＩＣ（Network Interface Card）等の所定の通信用機器から構成され、制御部１１の制御に基づいて、携帯情報端末１と外部機器との間で通信を行う。
【００２３】
入力部１６は、数字キーや十字キー等の入力デバイスから構成され、携帯情報端末１のユーザの操作に応じて、制御部１１に操作情報を供給する。
【００２４】
記憶部１７は、半導体記憶装置やＲＡＭ（Random Access Memory）等の所定の記憶装置から構成され、様々なデータやプログラムを格納する。例えば、記憶部１７は、制御部１１にフレームレート可変処理を実行させるためのプログラム、表示部に表示させる画像のデータ等を格納する。
【００２５】
次に、上記のように構成される携帯情報端末１において実行されるフレームレート可変処理の手順を、図３に示すフローチャートを参照して説明する。フレームレート可変処理はユーザが入力部１６を操作して動画表示を指示することにより開始される。
【００２６】
フレームレート可変処理が開始されると、制御部１１は、バッテリ電圧検出部１４からバッテリ１３の電圧値を取得する（ステップＳ１００）。
【００２７】
そして、制御部１１は、取得した電圧値が所定の閾値以上であるか否かを判別する（ステップＳ１１０）。
取得した電圧値が所定の閾値以上である場合（ステップＳ１１０；Ｙｅｓ）、制御部１１は、表示部１２のタイミング制御回路１２２のフレームレートを、所定の第１のレート（例えば１５フレーム／秒）に設定する（ステップＳ１２０）。
【００２８】
一方、取得した電圧値が所定の閾値未満である場合（ステップＳ１１０；Ｎｏ）、制御部１１は、フレームレートを、所定の第１のレートよりも遅い（更新頻度の少ない）第２のレート（例えば５フレーム／秒）に設定する（ステップＳ１３０）。すなわち、バッテリの残量が少ないことを検知し、動画表示に要する消費電力を低減させるように、通常よりもフレームレートを低下させる。
【００２９】
制御部１１は、設定したフレームレート（第１又は第２のレート）に従い、所定の期間（例えば１０秒間）、記憶部１７や通信部１５から供給される画像データを順次、表示部１２に供給する（ステップＳ１４０）。
【００３０】
所定の期間の経過後、制御部１１は、動画が最後まで表示されたか否かを判定する（ステップＳ１５０）。未だ最後まで表示されていない場合（ステップＳ１５０；Ｎｏ）、制御部１１は、処理をステップＳ１００に戻し、上述の一連の処理を繰り返す。
【００３１】
一方、動画が最後まで表示された場合（ステップＳ１５０；Ｙｅｓ）、制御部１１は、フレームレート可変処理を終了する。
【００３２】
このようなフレームレート可変処理において、第１のレートが設定されると、図４（ａ）に示すように、液晶表示素子１２３には、１秒当たり１５枚のフレームで構成される動画が表示される。一方、第２のレートが設定されると、図４（ｂ）に示すように、液晶表示素子１２３には、１秒当たり５枚のフレームで構成される動画が表示される。ここで、第２のレートが設定された場合に表示される動画は、第１のレートが設定された場合に表示される動画と比較して、表示の滑らかさという点で劣るが、表示に要する消費電力を抑制できる。
【００３３】
以上のような構成及び処理動作により、例えばバッテリ残量が少ない場合における、消費電力を抑制し、動画の表示時間を長くすることができる。
【００３４】
（実施形態２）
上述の実施形態１における携帯情報端末１は、バッテリ残量が低下した場合にフレームレートを低くすることにより、消費電力を抑制し動画の表示時間を長くするようにした。これと同様に、バッテリ残量が低下した場合に画像の表示サイズを小さくすることによっても、消費電力を抑制し動画の表示時間を長くすることが可能である。以下では、このような携帯情報端末１について説明する。
【００３５】
本実施形態に係る携帯情報端末１は、実施形態１における携帯情報端末１と同様の構成を有するものであり、図１に示すように、制御部１１と、表示部１２と、バッテリ１３と、バッテリ残量検出部１４と、通信部１５と、入力部１６と、記憶部１７と、から構成される。表示部１２を除く各構成要素の構成は、実施形態１と同一であるため説明を省略し、表示部１２について以下で説明する。
【００３６】
本実施形態における表示部１２は、図５に示すように、ドライバ回路１２１と、タイミング制御回路１２２と、液晶表示素子１２３と、画像変換回路１２４と、から構成される。
【００３７】
ドライバ回路１２１は、液晶表示素子１２３に画素の明暗を定義する階調信号を供給するセグメントドライバ、明暗を変化させる画素行を選択する走査信号を液晶表示素子１２３に供給するコモンドライバ、から構成される。
なお、本実施形態のドライバ回路１２１は、後述する表示サイズ可変処理において制御部１１が設定する表示サイズに応じて、セグメントドライバ及びコモンドライバの出力信号数（駆動するセグメント電極及びコモン電極の数）を変更できるものとし、出力信号数に比例して消費電力が変化するものとする。
【００３８】
タイミング制御回路１２２は、ドライバ回路１２１の動作タイミングを制御する。より具体的には、タイミング制御回路１２２は、予め設定されたフレームレートに基づくタイミングでドライバ回路１２１を動作させ、液晶表示素子１２３に画像を表示させる。
【００３９】
画像変換回路１２４は、制御部１１から供給される画像データを、制御部１１によって設定される表示サイズに対応するサイズの画像データに変換して、ドライバ回路１２１に供給する。
なお、液晶表示素子１２３に画像を表示させる場合、表示サイズが大きいほど視認性が高いが、その反面、消費電力も多くなる。
【００４０】
次に、上記のように構成される携帯情報端末１において実行される表示サイズ可変処理の手順を、図６に示すフローチャートを参照して説明する。表示サイズ可変処理は、ユーザが入力部１６を操作して動画表示を指示することにより開始される。
【００４１】
表示サイズ可変処理が開始されると、制御部１１は、バッテリ電圧検出部１４からバッテリ１３の電圧値を取得する（ステップＳ２００）。
【００４２】
そして、制御部１１は、取得した電圧値が所定の閾値以上であるか否かを判別する（ステップＳ２１０）。
取得した電圧値が所定の閾値以上である場合（ステップＳ２１０；Ｙｅｓ）、制御部１１は、表示部１２の画像変換回路１２４が出力する画像データのサイズを、所定の第１の表示サイズ（例えば８００ピクセル×６００ピクセル）に設定するとともに、ドライバ回路１２１を、第１の表示サイズの画像を表示させるように制御する（ステップＳ２２０）。
【００４３】
一方、取得した電圧値が所定の閾値未満である場合（ステップＳ２１０；Ｎｏ）、制御部１１は、画像変換回路１２４が出力する画像データのサイズを、第１の表示サイズより小さい所定の第２の表示サイズ（例えば６４０ピクセル×４８０ピクセル）に設定するとともに、ドライバ回路１２１を、第２の表示サイズの画像を表示させるように制御する（ステップＳ２３０）。すなわち、バッテリの残量が少ないことを検知し、動画表示に要する消費電力を低減させるように、通常よりも表示サイズを小さくさせる。
【００４４】
制御部１１は、所定の期間、予め定められた（タイミング制御回路１２２に設定されているフレームレートと同一の）フレームレートで画像データを画像変換回路１２４に供給し、表示部１２に第１の表示サイズ又は第２の表示サイズで動画を表示させる（ステップＳ２４０）。
【００４５】
所定の期間の経過後、制御部１１は、動画が最後まで表示されたか否かを判定する（ステップＳ２５０）。未だ最後まで表示されていない場合（ステップＳ２５０；Ｎｏ）、制御部１１は、処理をステップＳ２００に戻し、上述の一連の処理を繰り返す。
【００４６】
一方、動画が最後まで表示された場合（ステップＳ２５０；Ｙｅｓ）、制御部１１は、表示サイズ可変処理を終了する。
【００４７】
このような表示サイズ可変処理において、第１の表示サイズが設定されると、図７（ａ）に示すように、液晶表示素子１２３は、８００ピクセル×６００ピクセルの表示範囲に動画を表示する。一方、第２の表示サイズが設定されると、図７（ｂ）に示すように、液晶表示素子１２３は、６４０ピクセル×４８０ピクセルの表示範囲に動画を表示する。ここで、第２の表示サイズが設定された場合に表示される動画は、第１の表示サイズが設定された場合に表示される動画と比較して表示サイズが小さく、視認性に劣るが、表示に要する消費電力を抑制できる。
【００４８】
以上のような構成及び処理動作により、例えばバッテリ残量が少ない場合における、消費電力を抑制し、動画の表示時間を長くすることができる。
【００４９】
なお、本発明は上記の各実施形態で示した例に限定されるものではなく、様々な変形および応用が可能である。例えば、上記の各実施形態では動画を表示する場合の例を示した。しかし、対象は動画に限られず、静止画像の表示においてバッテリの残量に応じて解像度や、画像領域等を制御するようにしてもよい。
【００５０】
例えば、実施形態１では、バッテリ１３の出力電圧値の閾値を一つだけ設け、当該閾値以上か未満かに応じて二通りのフレームレートを選択可能とした場合を例に説明したが、閾値を複数設け、バッテリ１３の出力電圧の範囲に応じてより多くのフレームレートを選択可能としてもよい。
【００５１】
また、実施形態１では、バッテリ１３の残量に応じて自動的に動画表示時のフレーム数が変わるものとしたが、自動的に変わるモードと変わらないモードとを設けておいて、ユーザがどちらかを選択できるようにしてもよい。また、バッテリの残量に応じてユーザが手動でフレーム数を変更できるようにしてもよい。
【００５２】
同様に、実施形態２では、バッテリの残量に応じて自動的に動画表示時の表示サイズが変わるものとしたが、自動的に変わるモードと変わらないモードとを設けておいて、ユーザがどちらかを選択できるようにしてもよい。また、バッテリの残量に応じてユーザが手動で表示サイズを切り替え可能なものとしてもよい。
【００５３】
また、バッテリの残量に応じて、フレーム数と表示サイズとがともに切り替わるような構成も可能である。
【図面の簡単な説明】
【００５４】
【図１】本発明の実施形態１に係る携帯情報端末の構成を示すブロック図である。
【図２】本発明の実施形態１に係る携帯情報端末が有する表示部の構成を示すブロック図である。
【図３】図１の携帯情報端末が行うフレームレート可変処理の手順を説明するためのフローチャートである。
【図４】設定されたフレームレートに応じた動画表示の変化を模式的に示す図である。
【図５】本発明の実施形態２に係る携帯情報端末が有する表示部の構成を示すブロック図である。
【図６】本発明の実施形態２に係る携帯情報端末が行う表示サイズ可変処理の手順を説明するためのフローチャートである。
【図７】設定された表示サイズに応じた動画表示の変化を模式的に示す図である。
【符号の説明】
【００５５】
１・・・携帯情報端末、１１・・・制御部、１２・・・表示部、１３・・・バッテリ、１４・・・バッテリ電圧検出部、１５・・・通信部、１６・・・入力部、１７・・・記憶部。
【図１】
2007036702.tif 000003
【図２】
2007036702.tif 000004
【図３】
2007036702.tif 000005
【図４】
2007036702.tif 000006
【図５】
2007036702.tif 000007
【図６】
2007036702.tif 000008
【図７】
2007036702.tif 000009